(57)【要約】エレベータシステム用の安全装置が、支持部に取り付けられた格納式エレメントを備える。格納式エレメントは、格納位置と、選択された方向へ移動するエレベータかごが選択された垂直方向位置に接近するときにエレベータかごに対応した安全ブレーキのトリガ部材と係合するように格納式エレメントの掴み部が支持部から突出する停止位置と、を備える。アクチュエータによって格納式エレメントの位置が選択的に制御される。位置検出器は、必要なときに格納式エレメントが停止位置にあることを保証するように格納式エレメントの位置に対応している。
2009542549.tif 000002
【特許請求の範囲】
【請求項１】
支持部に取り付けられた少なくとも１つの格納式エレメントであって、格納位置と、選択された方向へ移動するエレベータかごが選択された垂直方向位置に接近するときに、エレベータかごに対応した安全ブレーキのトリガ部材と係合するように格納式エレメントの掴み部が支持部から突出する停止位置と、を備えた少なくとも１つの格納式エレメントと、
前記格納式エレメントの位置を選択的に制御するアクチュエータと、
前記格納式エレメントの位置に対応した位置検出器と、
を備えるエレベータシステム用の安全装置。
【請求項２】
位置検出器は、前記格納式エレメントが停止位置にあるときにのみ閉じられた状態にあるスイッチを含むことを特徴とする請求項１に記載の安全装置。
【請求項３】
前記格納式エレメントは、かごが前記選択された方向とは反対の方向に移動する際にトリガ部材が掴み部と接触するときに、停止位置から押しのけられるように配置されることを特徴とする請求項１または２に記載の安全装置。
【請求項４】
アクチュエータは、作動されているときに前記格納式エレメントを格納位置へ移行させるように配置され、前記格納式エレメントはピボット軸を中心に支持部に回転可能に取り付けられ、アクチュエータが作動されていないときに前記格納式エレメントは重力によって停止位置を取るように配置されることを特徴とする請求項３に記載の安全装置。
【請求項５】
前記格納式エレメントを停止位置へ移行させるばねをさらに備えることを特徴とする請求項４に記載の安全装置。
【請求項６】
支持部がスライド可能に取り付けられたブラケットと、
掴み部が安全ブレーキのトリガ部材と係合するときに、支持部と、該支持部に取り付けられた前記格納式エレメントと、の垂直方向のスライド移動に適応するように配置された少なくとも１つのばねと、
をさらに備えることを特徴とする請求項１〜５のいずれか１つに記載の安全装置。
【請求項７】
各々が停止位置および格納位置を備えた２つの格納式エレメントであって、これらの格納式エレメントは、双方の間の固定距離で垂直方向にオフセットしており、これら２つの格納式エレメントの一方における掴み部が安全ブレーキのトリガ部材と係合するときに、格納式エレメントの両方における垂直方向のスライド移動に適応するように少なくとも１つのばねが配置される、２つの格納式エレメントを備えることを特徴とする請求項６に記載の安全装置。
【請求項８】
前記少なくとも１つのばねは、前記２つの格納式エレメントの間における固定距離の５分の１よりも大きいストロークを備えることを特徴とする請求項７に記載の安全装置。
【請求項９】
ブラケットと、
垂直方向に沿ってスライドするようにブラケットに取り付けられた支持キャリッジと、
支持キャリッジに取り付けられた少なくとも２つの格納式エレメントであって、これらの格納式エレメントは、双方の間の固定距離で垂直方向にオフセットされており、各々が、掴み部をそれぞれ備え、格納位置と、選択された方向へ移動するエレベータかごが各垂直方向位置に接近するときに、エレベータかごに対応した安全ブレーキのトリガ部材と係合するように格納式エレメントの掴み部が支持キャリッジから突出する停止位置と、を備えた少なくとも２つの格納式エレメントと、
前記２つの格納式エレメントの一方における掴み部が安全ブレーキのトリガ部材と係合するときに、支持キャリッジの垂直方向のスライド移動に適応するばね配置と、
前記格納式エレメントにそれぞれ対応するアクチュエータであって、各格納式エレメントの位置を選択的に制御するアクチュエータと、
を備えるエレベータシステム用の安全装置。
【請求項１０】
各格納式エレメントは、各格納式エレメントが停止位置にあるときにのみ閉じられた状態にあるスイッチを含む各位置検出器に対応することを特徴とする請求項９に記載の安全装置。
【請求項１１】
位置検出器のスイッチは、直列に接続されることを特徴とする請求項１０に記載の安全装置。
【請求項１２】
前記格納式エレメントは、かごが前記選択された方向とは反対の方向に移動する際にトリガ部材が前記格納式エレメントの掴み部と接触するときに、停止位置から押しのけられるように配置されることを特徴とする請求項９〜１１のいずれか１つに記載の安全装置。
【請求項１３】
各アクチュエータは、作動されているときに各格納式エレメントを格納位置へ移行させるように配置され、前記格納式エレメントはピボット軸を中心に支持部に回転可能に取り付けられ、前記アクチュエータが作動されていないときに前記格納式エレメントは重力によって停止位置を取るように配置されることを特徴とする請求項１２に記載の安全装置。
【請求項１４】
前記格納式エレメントを停止位置へ移行させるばねをさらに備えることを特徴とする請求項１３に記載の安全装置。
【請求項１５】
前記ばね配置は、前記２つの格納式エレメントの間における固定距離の５分の１よりも大きいストロークを備えることを特徴とする請求項９〜１４のいずれか１つに記載の安全装置。
【請求項１６】
前記ばね配置は、支持キャリッジに接続されたロッドの周囲に取り付けられたばねであって、ロッドの端部における接触部を圧迫する第１の端部と、支持キャリッジと該ロッドの端部との間に位置するブラケットを圧迫する第２の端部と、を有したばねを備えることを特徴とする請求項９〜１５のいずれか１つに記載の安全装置。
【請求項１７】
エレベータの昇降路内において垂直方向に移動可能なかごと、
かごの移動を制御するエレベータ制御回路と、
トリガされたときにかごを停止させる安全ブレーキと、
支持部に取り付けられた少なくとも１つの格納式エレメントであって、格納位置と、選択された方向へ移動するかごが選択された垂直方向位置に接近するときに、安全ブレーキのトリガ部材と係合するように格納式エレメントの掴み部が支持部から突出する停止位置と、を備えた少なくとも１つの格納式エレメントと、
前記格納式エレメントの位置を選択的に制御するアクチュエータと、
前記格納式エレメントの位置に対応した位置検出器と、
を備え、
アクチュエータは、エレベータが検査運転にあるときに前記格納式エレメントを停止位置に押すように制御され、位置検出器は、前記格納式エレメントが停止位置に無いときに検査運転におけるかごの移動を防止するようにエレベータ制御回路に接続されることを特徴とするエレベータ。
【請求項１８】
前記選択された垂直位置は、前記格納式エレメントの掴み部とトリガ部材との係合に対応して安全ブレーキによってかごの上方への移動が停止されるときに昇降路の頂部に最小限の安全空間を提供するようにかごの最高乗り場高さに隣接するか、前記格納式エレメントの掴み部とトリガ部材との係合に対応して安全ブレーキによってかごの下方への移動が停止されるときに昇降路の底部に最小限の安全空間を提供するようにかごの最低乗り場高さに隣接することを特徴とする請求項１７に記載のエレベータ。
【請求項１９】
前記格納式エレメントは、かごが前記選択された方向とは反対の方向に移動する際にトリガ部材が掴み部に接触するときに、停止位置から押しのけられるように配置されることを特徴とする請求項１７に記載のエレベータ。
【請求項２０】
アクチュエータは、作動されているときに前記格納式エレメントを格納位置へ移行させるように配置され、エレベータは、かごが垂直方向の所定範囲内にあるときにアクチュエータを選択的に作動させるように通常運転におけるかごの前記垂直方向位置に対応したセンサをさらに備え、前記垂直方向の所定範囲は、前記選択された垂直方向位置が最高乗り場高さに隣接するときは最高乗り場高さを含み、前記選択された垂直方向位置が最低乗り場高さに隣接するときは最低乗り場高さを含むことを特徴とする請求項１７〜１９のいずれか１つに記載のエレベータ。
【請求項２１】
支持部がスライド可能に取り付けられたブラケットと、
掴み部が安全ブレーキのトリガ部材と係合するときに、支持部と、該支持部に取り付けられた前記格納式エレメントと、の垂直方向のスライド移動に適応するように配置された少なくとも１つのばねと、
をさらに備えることを特徴とする請求項１７〜２０のいずれか１つに記載のエレベータ。
【請求項２２】
各々が停止位置および格納位置を備えた２つの格納式エレメントであって、これらの格納式エレメントは、双方の間の固定距離で垂直方向にオフセットしており、これら２つの格納式エレメントの一方における掴み部が安全ブレーキのトリガ部材と係合するときに、格納式エレメントの両方における垂直方向のスライド移動に適応するように少なくとも１つのばねが配置される、２つの格納式エレメントを備えることを特徴とする請求項２１に記載のエレベータ。
【請求項２３】
前記少なくとも１つのばねは、前記２つの格納式エレメントの間における固定距離の５分の１よりも大きいストロークを備えることを特徴とする請求項２２に記載のエレベータ。
【請求項２４】
エレベータの昇降路内において垂直方向に移動可能なかごと、
トリガされたときにかごを停止させる安全ブレーキと、
検査運転において選択された方向へ移動するかごの検出に対応して安全ブレーキをトリガする少なくとも１つの安全装置と、
を備えたエレベータにおいて、前記安全装置は、
昇降路内に固定されたブラケットと、
垂直方向に沿ってスライドするようにブラケットに取り付けられた支持キャリッジと、
支持キャリッジに取り付けられた少なくとも２つの格納式エレメントであって、これらの格納式エレメントは、双方の間の固定距離で垂直方向にオフセットされ、各々が、掴み部をそれぞれ備え、格納位置と、選択された方向へ移動するエレベータかごが各垂直方向位置に接近するときに、エレベータかごに対応した安全ブレーキのトリガ部材と係合するように格納式エレメントの掴み部が支持キャリッジから突出する停止位置と、を備えた少なくとも２つの格納式エレメントと、
前記２つの格納式エレメントの一方における掴み部が安全ブレーキのトリガ部材と係合するときに、支持キャリッジの垂直方向のスライド移動に適応するばね配置と、
前記格納式エレメントにそれぞれ対応するアクチュエータであって、各格納式エレメントの位置を選択的に制御するアクチュエータと、
を備えることを特徴とするエレベータ。
【請求項２５】
アクチュエータは、エレベータが検査運転にあるときに前記格納式エレメントを停止位置に押すように制御され、各格納式エレメントは、該格納式エレメントが停止位置に無いときに検査運転においてかごの移動を防止するようにエレベータ制御回路に接続された各位置検出器に対応することを特徴とする請求項２４に記載のエレベータ。
【請求項２６】
各位置検出器は、各格納式エレメントが停止位置にあるときにのみ閉じられた状態にあるスイッチであって、検査運転においてエレベータ制御回路に電力を供給するように使用される安全チェーンにおいて直列に接続される、スイッチを含むことを特徴とする請求項２５に記載のエレベータ。
【請求項２７】
前記選択された垂直方向位置は、
前記格納式エレメントのうちの第１の格納式エレメントに対応した第１の垂直方向位置であって、第１の格納式エレメントの掴み部とトリガ部材との係合に対応して安全ブレーキによってかごの上方への移動が停止されたときに、昇降路の頂部に作業空間を提供するようにかごの最高乗り場高さに隣接する第１の垂直方向位置と、
前記格納式エレメントのうちの第２の格納式エレメントに対応した第２の垂直方向位置であって、第２の格納式エレメントの掴み部とトリガ部材との係合に対応して安全ブレーキによってかごの上方への移動が停止されたときに、昇降路の頂部に最終の安全空間を提供するように第１の垂直位置の上方に前記固定距離で配置される第２の垂直方向位置と、
を含むことを特徴とする請求項２４〜２６のいずれか１つに記載のエレベータ。
【請求項２８】
アクチュエータは、作動されているときに各格納式エレメントを格納位置へ移行させるように配置され、手動救助運転において、第１の格納式エレメントに対応したアクチュエータは、かごが所定の垂直位置の上方に少なくともあるときに作動され、第２の格納式エレメントに対応したアクチュエータは作動されないことを特徴とする請求項２７に記載のエレベータ。
【請求項２９】
各格納式エレメントは、かごが前記選択された方向とは反対の方向に移動する際にトリガ部材が前記格納式エレメントの掴み部と接触するときに、停止位置から押しのけられるように配置されることを特徴とする請求項２７または２８に記載のエレベータ。
【請求項３０】
アクチュエータは、作動されているときに前記格納式エレメントを格納位置へ移行させるように配置され、エレベータは、かごが最高乗り場高さを含む垂直方向の所定範囲に配置されたときにアクチュエータを選択的に作動させるように通常運転におけるかごの垂直方向位置に対応したセンサをさらに備えることを特徴とする請求項２９に記載のエレベータ。
【請求項３１】
前記ばね配置は、前記２つの格納式エレメントの間における固定距離の５分の１よりも大きいストロークを備えることを特徴とする請求項２４〜３０のいずれか１つに記載のエレベータ。
【請求項３２】
前記ばね配置は、支持キャリッジに接続されたロッドの周囲に取り付けられたばねであって、ロッドの端部における接触部を圧迫する第１の端部と、支持キャリッジと該ロッドの端部との間に位置するブラケットを圧迫する第２の端部と、を有したばねを備えることを特徴とする請求項２４〜３１のいずれか１つに記載のエレベータ。
【発明の詳細な説明】
【技術分野】
【０００１】
本発明は、エレベータに関する。本発明は、特に、浅いピットおよび／または低いオーバヘッドを備えたエレベータに適用される。
【背景技術】
【０００２】
浅いピットおよび／または低いオーバヘッドを備えたエレベータは、エレベータの設置にかかる建設費の影響を減らすとともに厳しい構造上の制約との適合性があるために有利である。
【０００３】
マシンルームレスエレベータは、エレベータの昇降路の容積部内に配置されたエレベータ駆動システム、特に、モータおよびブレーキを備える。昇降路内に取り付けられたこれらの部品や他の構成要素へのアクセスは、保守や修理の目的のために必要とされている。ＥＮ８１のような標準では、機械や昇降路構成要素へアクセスするために人が入る作業空間が安全なものとなるように昇降路の頂部や底部に安全用の隙間が要求されている。このような作業空間は、かごの頂部に立つ作業者のために昇降路の上部に設定されたり、あるいは昇降路の底部にあるピットに設定されたりすることがある。
【０００４】
検査運転において常に最低限の安全空間が確保されることを保証する安全手段が、かごが過度の速度で移動することを防止するようにエレベータ構造体に通常取り付けられている安全ブレーキを特に利用することによって提案されてきた。安全ブレーキは、一般にかごに取り付けられるとともに垂直方向の固定されたガイドレールと協同し、速度制限器ケーブルもしくはロープによってトリガされたときに摩擦によってかごを停止させる。米国特許出願公開第２００４／０２２２０４６号明細書および国際公開第２００６／０３５２６４号パンフレットには、昇降路の頂部や底部に保護空間を確保する装置が開示されており、この装置は、速度制限器ケーブルを受けるフォークエレメントを備える。突出部がケーブルに固定されており、望ましい保護空間に対応した垂直方向位置においてフォークエレメントによって受け止められて安全ブレーキがトリガされる接触部が形成される。エレベータの通常の運転では、フォークエレメントは、制限器ケーブルおよび突出部との係合から引っ込められ、これにより、かごが妨害されずに最高乗り場高さまたは最低乗り場高さに到達できる。ばね取付部がフォークエレメント用に設けられており、これにより、フォークエレメントは突出部を受け止めるときに安全ブレーキがかごを停止させるのに要する一定の距離だけ垂直方向へ移動することができる。このような距離に対応するばね取付部のストロークは、かごおよびカウンタウエイトの慣性に基づいており、一般に約１００〜２００ｍｍになるべきである。
【発明の概要】
【発明が解決しようとする課題】
【０００５】
この種類の安全装置の問題は、様々な理由によって、検査運転が開始されたときにフォークエレメントが機能しなくなり、引っ込められた位置に突然留まってしまうことがあることである。これにより、昇降路に入る人に危険が生じてしまう。
【課題を解決するための手段】
【０００６】
本発明の実施例では、エレベータシステム用の安全装置は、
支持部に取り付けられた少なくとも１つの格納式エレメントであって、格納位置と、選択された方向へ移動するエレベータかごが選択された垂直方向位置に接近するときに、エレベータかごに対応した安全ブレーキのトリガ部材と係合するように格納式エレメントの掴み部が支持部から突出する停止位置と、を備えた少なくとも１つの格納式エレメントと、
格納式エレメントの位置を選択的に制御するアクチュエータと、
格納式エレメントの位置に対応した位置検出器と、
を備える。
【０００７】
格納式エレメントは、検査運転において一般に展開され、安全ブレーキのトリガ部材の移動線上に突出する。かごが反対方向へ移動するときには、格納式エレメントはトリガ部材の障害にならないことが好ましい。
【０００８】
位置検出器によって、格納式エレメントが十分に展開されたことを確認した後に検査運転においてかごが移動可能となる。これによって、整備士が昇降路内からかごの上方への移動または下方への移動を制御する際に安全装置によって得られる保護を失うことがあるという危険性が防止される。
【０００９】
上述の実施例と組み合わされて実施されるか、または個別に実施される本発明の他の実施例では、安全装置は、
ブラケットと、
垂直方向に沿ってスライドするようにブラケットに取り付けられた支持キャリッジと、
支持キャリッジに取り付けられた少なくとも２つの格納式エレメントであって、これらの格納式エレメントは、双方の間の固定距離で垂直方向にオフセットされており、各々が、掴み部をそれぞれ備え、格納位置と、選択された方向へ移動するエレベータかごが各垂直方向位置に接近するときに、エレベータかごに対応した安全ブレーキのトリガ部材と係合するように格納式エレメントの掴み部が支持キャリッジから突出する停止位置と、を備えた少なくとも２つの格納式エレメントと、
２つの格納式エレメントの一方における掴み部が安全ブレーキのトリガ部材と係合するときに、支持キャリッジの垂直方向のスライド移動に適応するばね配置と、
格納式エレメントにそれぞれ対応するアクチュエータであって、各格納式エレメントの位置を選択的に制御するアクチュエータと、
を備える。
【００１０】
安全装置におけるこのような構成の利点は、２つの格納式エレメントによって、かごの同一方向の移動に対して２つの安全高さを互いに比較的接近させて与えることができることである。ばね配置によって、かごを効果的に停止させるのに安全ブレーキに必要とされる比較的長いストロークに沿って２つのエレメントが共にスライドし、これによって、一方のエレメントと安全ブレーキのトリガ部材とが接触したときに、２つのエレメントのうちの一方の支持部が他方のエレメントの垂直方向のスライド移動を妨害し得るという問題がなくなる。
【００１１】
２つの安全高さは、例えば、かごの頂部における最小限の作業空間に対応した第１の高さ（例えば、かごの屋上から昇降路の天井までが約１．８０ｍ）と、最終の安全空間に対応した第２の高さ（例えば、かごの屋上から昇降路の天井までが約１ｍ）と、を備えることができる。
【００１２】
本発明の別の実施例では、エレベータは、
エレベータの昇降路内において垂直方向に移動可能なかごと、
かごの移動を制御するエレベータ制御回路と、
トリガされたときにかごを停止させる安全ブレーキと、
支持部に取り付けられた少なくとも１つの格納式エレメントであって、格納位置と、選択された方向へ移動するかごが選択された垂直方向位置に接近するときに、安全ブレーキのトリガ部材と係合するように格納式エレメントの掴み部が支持部から突出する停止位置と、を備えた少なくとも１つの格納式エレメントと、
格納式エレメントの位置を選択的に制御するアクチュエータと、
格納式エレメントの位置に対応した位置検出器と、
を備える。
【００１３】
アクチュエータは、エレベータが検査運転にあるときに格納式エレメントを停止位置に押すように有利に制御される。位置検出器は、格納式エレメントが停止位置に無いときに検査運転におけるかごの移動を防止するようにエレベータ制御回路に接続される。
【００１４】
選択された垂直位置は、例えば、格納式エレメントの掴み部とトリガ部材との係合に対応して安全ブレーキによってかごの上方への移動が停止されるときに昇降路の頂部に最小限の安全空間を提供するようにかごの最高乗り場高さに隣接する。この代わりに、格納式エレメントの掴み部とトリガ部材との係合に対応して安全ブレーキによってかごの下方への移動が停止されるときに昇降路の底部に最小限の安全空間を提供するようにかごの最低乗り場高さに隣接してもよい。
【００１５】
本発明の別の実施例では、エレベータは、エレベータの昇降路内において垂直方向に移動可能なかごと、トリガされたときにかごを停止させる安全ブレーキと、検査運転において選択された方向へ移動するかごの検出に対応して安全ブレーキをトリガする少なくとも１つの安全装置と、を備える。安全装置は、
昇降路内に固定されたブラケットと、
垂直方向に沿ってスライドするようにブラケットに取り付けられた支持キャリッジと、
支持キャリッジに取り付けられた少なくとも２つの格納式エレメントであって、これらの格納式エレメントは、双方の間の固定距離で垂直方向にオフセットされ、各々が、掴み部をそれぞれ備え、格納位置と、選択された方向へ移動するエレベータかごが各垂直方向位置に接近するときに、エレベータかごに対応した安全ブレーキのトリガ部材と係合するように格納式エレメントの掴み部が支持キャリッジから突出する停止位置と、を備えた少なくとも２つの格納式エレメントと、
２つの格納式エレメントの一方における掴み部が安全ブレーキのトリガ部材と係合するときに、支持キャリッジの垂直方向のスライド移動に適応するばね配置と、
格納式エレメントにそれぞれ対応するアクチュエータであって、各格納式エレメントの位置を選択的に制御するアクチュエータと、
を備える。
【図面の簡単な説明】
【００１６】
【図１】本発明が適用できるエレベータの実施例における選択された部分を概略的に示した図である。
【図２】このようなエレベータに使用可能な安全ブレーキの斜視図である。
【図３】本発明における安全装置の実施例の斜視図である。
【図４】図３の安全装置の部分における組立分解図である。
【図５】本発明における安全装置の他の実施例の斜視図である。
【図６】本発明におけるエレベータの実施例で使用される例示の電気回路図である。
【発明を実施するための形態】
【００１７】
図１には、ガイドレール２６に沿って周知のように移動するエレベータかご２４を備えたエレベータシステム２０が示されている。
【００１８】
１つの例では、マシンルームレスエレベータシステムによって、かご２４が、昇降路の下端部２８（即ち、ピット）と上端部２９との間における昇降路の長さ全体に実質的に沿って移動することができる。モータおよびブレーキを備えた駆動システム（図示せず）が、図２に部分的に見られるとともにケーブルもしくはベルト２５およびリーブプーリ２７を有するトラクションシステムによって昇降路に沿ったかご２４の垂直方向の移動を制御するように通常使用される。
【００１９】
さらに、ガバナ装置３０は、かご２４が選択された最大速度を超えて移動することを防止することによって、かご２４の移動を制御する。例示のガバナ装置３０は、かごがガイドレール２６に沿って動くときにかご２４と共に移動するガバナロープ３２を備える。ガバナシーブ３４および引張シーブ３６が、ガバナロープ３２からなるループの両端部に配置されている。
【００２０】
図示されているガバナ装置３０は、周知のように動作する。かご２４の移動が速すぎる場合には、ガバナ装置３０は、ガバナシーブ３４に対して制動力を作用させる。これにより、ガバナロープ３２は、機械的リンケージを引っ張り、図１に概略的に示される安全ブレーキ４２を作動させる。この例では、安全ブレーキは、ガイドレール２６に対して制動力を作用させ、エレベータかご２４のこれ以上の移動を防止する。この用途のための様々な安全ブレーキ４２が知られている。接続ロッドが、かごの屋上の上および／またはかごの床の下に周知のように配置されてもよく、これにより、かごの両側に配置されたガイドレールの各々と協同する安全ブレーキの作動に同時性が得られる。
【００２１】
図２には、安全ブレーキ４２の可能な構成が示されている。安全ギヤ５０がガイドレール２６に沿ってスライドするようにかご構造体に固定されている。ギヤ５０がトリガされることによってレール２６に沿った摩擦が発生し、ギヤは、かごが停止されるまでくさび作用によって摩擦を増大させるように通常配置される。図２に示されている例示の安全ブレーキは、二部作用を備える。安全ブレーキは、かご２４の上方への移動を阻止するように上部レバー５２によってトリガされるか、またはかご２４の下方への移動を阻止するように下部レバー５４によってトリガされる。トリガレバー５２，５４の各々は、各ピボット軸５３，５５を中心としてかご構造体に関節式に繋がれる。ガバナロープ３２は、リンケージ４４に取り付けられた２つの端部を備える。リンケージ４４は、実質的に垂直に延びるとともにレバーの中央部において２つのトリガレバー５２，５４に関節式に繋がれる。したがって、かご２４が下方へ（上方へ）移動している最中における過速度状態のためにガバナロープ３２が保持されているときに、下部レバー５４（上部レバー５２）は、ロープ３２によって引かれ、安全ギヤ５０をトリガしてかご２４を停止させる。
【００２２】
さらに、図２に示されるトリガレバー５２，５４は、安全ギヤ５０と引張ロッド４４の関節部との間に横方向拡張部５６，５８を備える。横方向拡張部５６，５８は、以下に説明される安全装置と相互作用するように外側に突出している。
【００２３】
図１の構成は、昇降路内の選択された高さに位置決めされた２つの安全装置６０，８０を備える。安全装置６０，８０は、選択された条件で少なくとも１つの安全ブレーキ４２と相互作用し、かごアッセンブリ２４が移動して、昇降路の上端部２９に接近しすぎることと、昇降路の下端部２８に接近しすぎることと、をそれぞれ防止する。必要であれば、他のこのような装置が昇降路内に計画的に配置されてもよい。この説明を考慮すれば、当業者は、このような装置がいくつ必要かを理解し、特定の状況における要求を満たすためにこれらの装置の適切な配置を選択することができるであろう。
【００２４】
ガバナ装置３０は、エレベータかごの移動速度に基づいて動作し、安全装置６０，８０は、エレベータかご２４の垂直方向の位置に基づいて作動する。
【００２５】
図３には、例示の下部安全装置８０が示されている。この例は、ガイドレール２６またはこのガイドレール２６付近にある昇降路壁に選択された高さで固定されるべきブラケット８１を備える。ブラケット８１は、垂直ガイドロッド８２を備えており、この垂直ガイドロッド８２は、図４に構成要素が示されている可動アッセンブリもしくはキャリッジをスライド可能に受ける。この可動アッセンブリは、垂直な長手方向スロット８５をブロックの中央に備えて形成された支持ブロック８４を有する。スロット８５の両側にある２つの円筒貫通孔８６が、ガイドロッド８２を受ける。
【００２６】
格納式停止エレメント８８が、中央のスロット８５内に水平のピボット軸８９を中心に回転可能に取り付けられている。停止エレメント８８は、掴み部９０を備えており、この掴み部９０は、図３に示された停止位置に展開されているときには、支持ブロック８４の前面９１から突出している。格納式停止エレメント８８の重心がピボット軸８９を受ける円筒ボア９２より前方にあるので、エレメント８８は、自然に停止位置となる。この位置では、停止エレメント８８の下側面９４が、スロット８５にわたって延びる接触部上にある。この例では、接触部は、水平ピン９５によってスロット内に保持されるスリーブ９３から構成される。
【００２７】
アクチュエータ１００が、支持ブロック８４の下端部においてスクリュ１０１によって固定されている。アクチュエータ１００は、ブロック８４の下部９９を貫通してスロット８５へ延びるアーム１０２を備える。接続ロッド１０３が、アクチュエータアーム１０２の先端部と格納式エレメント８８の下端部との間に関節式に繋がれている。コイルばね１０４が、ブロック８４の下部９９と、アクチュエータアーム１０２に接続ロッド１０３を保持するピンと、の間においてアクチュエータアーム１０２の周囲に配置される。ばね１０４は、圧縮されてエレメント８８を停止位置へ移行させる。アクチュエータ１００は、選択された環境においてエレベータ制御回路によって励磁される電磁石を備える。電磁石は、励磁されているときには、アクチュエータアーム１０２を引いてエレメント８８を格納位置に移行させる。この格納位置では、停止エレメント８８の前面１０５が、支持ブロック８４の前面９１とほぼ同一平面上にある。この格納位置では、エレメント８８は、安全ブレーキのトリガレバー５２，５４を妨害しない。
【００２８】
格納式エレメント８８の停止位置では、掴み部９０は、安全ブレーキの下側トリガレバー５４における横方向拡張部５８の線上にある。下方へ移動するかご２４が、格納式エレメントの停止位置における下部安全装置８０の高さに達したときには、接触部９３にもたれ掛かるエレメント８８の掴み部９０が、トリガレバー５４を持ち上げてかごを停止させる。
【００２９】
かご２４がピットの底部から上方に移動するときには、安全ブレーキトリガレバーの横方向拡張部５６，５８は、格納式停止エレメント８８の前面１０５と係合する。エレメント８８の重量およびばね１０４の強度が、安全ブレーキ４２をトリガするために必要とされる力より小さいので、停止エレメント８８は格納位置へ押され、かごは上方へ移動し続けることができる。重力とばね１０４の作用とが、エレメント８８を停止位置に迅速に戻す。
【００３０】
安全装置８０のブラケット８１に支持ブロック８４を取り付けるように、ばね構成が与えられる。この構成は、安全装置８０が安全ブレーキ４２をトリガしたときの支持ブロック８４の垂直方向のスライド移動に適応し、これは、かごを完全に停止させるために安全ブレーキに必要とされる距離に相当する。
【００３１】
図示された実施例では、ばね構成は、円筒形ロッド１１１の周りに取り付けられたコイルばね１１０を備える。ロッド１１１は、ねじ付き端部を備えており、該ねじ付き端部は、支持ブロック８４の上端部に設けられた穴およびブラケット８１の上端部に設けられた対応する穴を貫通して延びる。ボルト１１２は、ロッド１１１を支持ブロック８４に取り付けるようにスロット８５内のねじ付き端部にねじ留めされる。また、ロッド１１１の反対側の端部は、もう一方のボルト１１３および座金１１４を受けるようにねじが付けられている。コイルばね１１０は、ブラケット８１の上部と座金１１４との間で圧縮されており、これにより、支持ブロックを図３に示されている上部位置に維持する。これは、格納式エレメント８８が安全ブレーキトリガレバーと接触しない場合に限られる。ばね１１０は、エレメント８８がレバー５４を受け止めるときのばね強度が安全ブレーキをトリガするのに十分であり、ばねのストロークが安全ブレーキによってかごを停止させるために必要とされる最大距離に少なくとも等しくなるように設計される。このようなストロークの一般的な要求は、約２００ｍｍである。
【００３２】
また、安全装置８０は、図３および図４の例示的な実施例に示されている位置検出器１１５を備える。この実施例では、位置検出器１１５は、スクリュ１１７によってスロット８５内において支持ブロック８４に取り付けられたハウジング１１６を備える。ハウジング１１６内に配置されたスイッチは、ローラ１１９が端部に取り付けられた格納式アーム１１８の位置によって制御される状態を有する。アーム１１８は、その拡張位置に向かって付勢されており、ローラ１１９は、格納式停止エレメント８８の後側に設けられたカム面１２０に追従する。したがって、検出器スイッチは、格納式エレメント８８が停止位置で完全に展開されたときに閉じられ、それ以外のときには開かれる。
【００３３】
ピットの底部付近における位置（浅いピット構成）に対応するとともにかごの下方への移動を停止する上述の安全装置８０は、低いオーバヘッド構成においてかごの上方への移動を停止するように昇降路の頂部付近で対称的に使用されてもよい。これは、上述してきたこと（図１に概略的に示されている装置６０の位置を参照）と比べて、装置を上下反対に取り付けるだけで十分である。
【００３４】
安全ブレーキ４２は、一旦作動されると容易に解放されないので、検査運転が故障や異常事態無しに実行されるときには、安全装置６０，８０の一方を介して安全ブレーキ４２を作動させることは望ましくない。上部および下部のリミットスイッチ６６，８６（図１）が、検査移動の端部においてかごを停止させるために主に使用されるように安全装置６０，８０付近に取り付けられることが好ましく、安全装置６０，８０は、異常が生じた場合に付加的な安全レベルを与えるバックアップとして使用される。
【００３５】
整備士が昇降路の頂部に取り付けられた機械装置にアクセスする便利な作業空間をかごの頂部に確保するために、かごの屋上と昇降路の天井との間に約１，８００〜２，０００ｍｍの距離が必要とされる。上部リミットスイッチ６６は、昇降路の対応する高さに（最高乗り場高さに隣接して）配置されており、かごがこのような距離に対応する垂直高さに達したときに、かご構造体に取り付けられたカム面７０によって開かれる。上方への検査移動においてスイッチ６６が開かれると、かごは、駆動システムの電気的に制御されたブレーキによって停止される。同様に、下部リミットスイッチ８６は、かごが最低乗り場高さに隣接した垂直高さに達したときに、かご構造体に取り付けられたカム面７０（または他のカム）によって開かれるように配置され、ピット床部の上方に約１，８００〜２，０００ｍｍの高さの作業空間を残す。下方への検査移動においてスイッチ８６が開かれると、かごは電気的に制御されたブレーキによって停止される。
【００３６】
何らかの理由で、検査運転中に上方へ（下方へ）移動するかごが不意に、上限（下限）リミットスイッチ６６（８６）の高さを、電気的に制御されたブレーキを用いたかごの最大停止距離よりも大きく超過する場合は、リミットスイッチの直後に配置された安全装置６０（８０）が、安全ブレーキ４２によってかご２４を安全に停止させるように作用し始める。
【００３７】
所定の方向に移動するかごを停止させるために、互いに比較的接近した２つの安全高さを提供することが有効なことがある。これは、低いオーバヘッド構成において昇降路の頂部付近で一般的に生じる（浅いピット構成では、当業者が以下の説明から理解できるように、トーガードによってこの特徴が不要になる）。上述された第１の安全装置が、上部リミットスイッチ６６に対応したかごの高さの直ぐ上方において、停止エレメント８８に衝突することなく電磁ブレーキによってかごが一般に停止されるのに十分な距離に設けられる場合は、かごがこの第１の安全装置上において停止されるときに、かごの屋上と昇降路の天井との間に約１，４００〜１，７００ｍｍの距離が残される。
【００３８】
かごの屋上へのアクセスは、特定のキーを用いて乗り場ドアを手動で開けることによって一般に行われる。このキーは、スイッチを開いて安全チェーンを壊すとともに駆動システムによってかごを停止させる。この後、整備士は、かごの頂部によじ登り、要求された保守や修理の作業を実行できる。かごが第１の安全装置に対応する垂直位置の直ぐ上方に配置されている、例えば、かごの屋上と昇降路の天井との間に約１，６００ｍｍの距離がある状態で、人が最高乗り場高さのドアを手動で開けることが生じ得る。低いオーバヘッドのエレベータ構成では、これは、我々の例では、乗り場のドアが開かれ、かごがスイッチおよび安全装置の両方の位置より上方で停止されているときに、昇降路の天井と最高乗り場ドアにおける上部のまぐさとの間の距離は、例えば、約５００〜７００ｍｍであり、我々の例では約１，０００ｍｍ以上の距離が、かご屋上の上方において残っている。これは、整備士がかごの頂部に登ったり、人が入るのに十分である。この状況では、このような人は、エレベータかごのさらなる上方への移動に対してこれ以上機械的に保護されない。
【００３９】
したがって、かごの上方への移動を停止するように共に配向された２つの直列の安全装置を取り付けることによって第２の安全高さを設けることが有効となり得る。最上部の装置によって、ＥＮ−８１のような関連の標準で指定される最低限の安全空間に適合した最大の安全空間が確保される。上部トリガレバー５２が上部安全装置の格納式エレメントに接触しているときのかごの屋上と昇降路の天井との間の距離は、例えば、約１，０００ｍｍであり、安全ブレーキがかごを停止させた後は、かごの屋上と最高乗り場ドアの上部まぐさとの間の隙間は約３００ｍｍであり、これは、人が昇降路に入るのには不十分である。
【００４０】
かごの上方における作業用および最大の安全空間を維持するように、最高乗り場高さに隣接して配置された２つの格納式停止エレメントが、これらのエレメントの間における約８００ｍｍの固定した距離で垂直方向にオフセットされる。このような距離が小さすぎるために図３および図４において説明されている２つの安全装置を直列に配置できない可能性があるという問題が生じる。ばね１１０は、（安全ブレーキ４２を効果的にトリガする）強いばねであるとともに約２００ｍｍの長いストロークを備えているので、ばね１１０の寸法は、かなり長い。また、構造が強固である必要がある支持ブロック８４およびブラケット８１の寸法を考慮すると、我々は、望ましい停止高さを与えるように２つの安全装置を直列に配置することが妨害され得ることが分かる。
【００４１】
この問題を回避するために、図５の例に示される安全装置６０の配置が使用されてもよい。
【００４２】
この実施例では、安全装置６０は、ブラケットに取り付けられた２つのスライド支持ブロック６３，６４を有した１つのブラケット６１を備える。２つの支持ブロック６３，６４は、側部ストリンガ６７によって互いに接続されており、２つの格納式停止エレメント６８を支持する強固なキャリッジを形成する。ここで、２つの格納式停止エレメント６８は、各支持ブロック６３，６４の垂直方向スロット６５内でそれぞれ受けられている。前述された実施例のように、支持ブロックの各々は、電磁アクチュエータ１００と、スロット６５内に取り付けられた位置検出器と、を備える。キャリッジを形成するようにストリンガによって互いに接続された２つの支持ブロック６３，６４の代わりに、２つの格納式停止エレメント６８を保持する１つのブロックのような支持キャリッジを設けることが可能であることが理解されるであろう。
【００４３】
支持キャリッジ６３，６４，６７は、垂直なガイドロッド６２にスライド可能に取り付けられており、このガイドロッドの中央部は、ブラケット６１に固定されたプレート６９によって所定の位置に維持され得る。支持キャリッジの下部は、コイルばね１１０を案内するロッド１１１に接続されている。ばね１１０は、２つの停止エレメント６８にかかる安全ブレーキトリガレバーの衝撃に耐えられる強さであるとともにエレベータシステムの他の構成要素を妨害せずにかご２４の少なくとも最大停止距離だけ安全ブレーキ４２を用いて収縮されるのに要する長さを有する。ばね１１０は、２つのエレメントの一方における掴み部が安全ブレーキのトリガ部材と係合したときに、支持キャリッジおよび２つの格納式エレメント６８の垂直方向のスライド移動に適応する。ばねのストロークは、２つの格納式エレメントの間の固定した距離の１０分の１より大きいことが好ましい。例えば、距離が８００ｍｍの場合には、ストロークは、少なくとも８０ｍｍである。一般的な値は、約２００ｍｍである。
【００４４】
図６には、ｎ個の乗り場高さと、最低乗り場高さ付近にある図３に示されているような１つの高さの安全装置８０と、最高乗り場高さ付近にある図５に示されているような２つの高さの安全装置６０と、を備えたエレベータで使用可能な電気回路の実施例が示されている。駆動システムのモータおよびブレーキへの電力供給は、多くの直列に接続されたスイッチからなる安全チェーンを介して本線のような交流供給源から実施される。ブレーキが給電されていないときには、ブレーキは、かごを停止するようにモータ軸をブロックする状態にある。直列に接続されたスイッチ全てが閉じられているときには、エレベータは安全状態とみなされる。この安全状態とは、即ち、モータに給電し、ブレーキを解放できる状態である。安全チェーンは、エレベータの通常運転を制御する分岐部および検査運転を制御する分岐部を備える。これらの２つの分岐部は、共通の多くのスイッチを備えており、該スイッチは、限定される訳ではないが、
危険な場合には、作業者が手動で開けてもよい１つまたは複数の緊急スイッチ１３０と、
ｎ個の乗り場ドアにおける上部まぐさに取り付けられた安全ロックに接続されたｎ個の二重安定キースイッチＫＳ１〜ＫＳｎであって、人がエレベータ昇降路にアクセスすることが必要なときには、安全ロックの各々は、三角キーのような特定のキーを用いて機能すし、高さｉにある乗り場ドアを特定のキーを用いて手動で開けると対応するキースイッチＫＳｉが開くが、このキースイッチＫＳｉは、高さｉにあるドアが閉じられ、キーによって安全ロックがロック位置に戻された後に閉じられるのみであり、二重安定スイッチを備えたこのような安全ロックの例が、国際特許出願ＰＣＴ／ＩＢ０５／０００２７６号明細書に開示されている、ｎ個の二重安定キースイッチＫＳ１〜ＫＳｎと、
高さｉにある乗り場ドアが完全に閉じられた状態ではスイッチＤＳｉが閉じられる、ｎ個の乗り場ドアにそれぞれ対応したｎ個のスイッチＤＳ１〜ＤＳｎと、
安全ブレーキ４２がトリガされると開かれるスイッチ１３１と、
を含む。
【００４５】
運転の通常モードから検査モードへの切り換えは、ここで考えられる例では、かごの屋上に配置されているモードボタン１３５を押すことによって実施される。モードボタン１３５は、運転の検査モードが選択されているときには、スイッチ１３６が閉じられ、スイッチ１３７が開かれるように２つの検査運転スイッチ１３６，１３７の位置を制御する。検査運転スイッチ１３６は、最低乗り場ドア以外の乗り場ドア全ての安全ロックに対応した直列に接続されたｎ−１個のキースイッチＫＳ２〜ＫＳｎに並列に接続される。これらのｎ−１個の乗り場ドアは、かごの屋上へのアクセスが可能なものである。最低乗り場高さの二重安定スイッチＫＳ１は、検査運転スイッチ１３６を備えた分岐部および他のｎ−１個の二重安定スイッチＫＳ２〜ＫＳｎと直列に接続されている。
【００４６】
キースイッチＫＳ２〜ＫＳｎは、かごの屋上における人の存在を確認する検出器として使用される。乗り場ドアが特定のキーによって開かれているときには、人がかごの頂部に登り、通常運転は防止されていると見なされる。検査運転は実施されるが、整備士がかごの頂部にあるモードボタン１３５を作動させた後で初めて実施される。どんな場合でも、通常モードにおけるかごの移動は、整備士が昇降路へ入ったときに使用したドアの安全ロックを三角キーを用いて機能させることによって整備士が確認した後に可能となるだけである。
【００４７】
通常運転の分岐部は、図６のブロック１３２によって概略的に示されているような安全チェーンの他のスイッチを備えてもよい。検査運転の分岐部は、２つの安全装置６０，８０に含まれる３つの位置検出器１１５の直列に接続されたスイッチ１４０，１４１，１４２を有し、図６のブロック１４３によって概略的に示されている他のスイッチを備えることもできる。したがって、検査モードにおけるかごの移動は、安全装置における３つの格納式停止エレメントの全てが、各停止位置にある場合に可能であり、それ以外は防止される。
【００４８】
３つの格納式停止エレメントの電磁アクチュエータ１００におけるコイル１５０，１５１，１５２には、安全チェーンと同じ供給源である交流供給源または他の供給源から電力が供給される。下部安全装置８０のコイル１５０は、昇降路内に配置されたスイッチ１４８と直列に接続され、スイッチ１４８は、かご構造体に取り付けられたカム面７０または他のカムと協同する。スイッチ１４８は、かご２４が最低乗り場高さの近傍やこれより上方より下側に位置するとき以外は開いている。スイッチ１４８は、例えば、下部リミットスイッチ８６と共に配置されており、該スイッチ１４８は、スイッチ８６が閉じられているときには開いており、スイッチ８６が開かれているときには閉じている。また、スイッチ１４８は、スイッチ８６の僅かに上方に配置されてもよい。スイッチ１４８によって、安全装置８０の停止エレメント８８は、かごがピットの近傍に来ない限り収縮せず、これにより、かごが通常運転において最低乗り場高さに到達することが可能となる。
【００４９】
同様に、上部安全装置６０の下部停止エレメント６８を作動させるコイル１５１は、昇降路内に配置されたスイッチ１４９と直列に接続されており、この停止エレメント６８は、かごが昇降路の天井の比較的近くに来ない限り収縮されない。スイッチ１４９は、かご２４が最高乗り場高さの近傍やこれより下方より上側に位置するとき以外は開いている。スイッチ１４９は、例えば、上部リミットスイッチ６６と共に配置されており、スイッチ１４９は、スイッチ６６が閉じられているときには開いており、スイッチ６６が開かれているときには閉じている。また、スイッチ１４９は、スイッチ６６の僅かに下方に配置されてもよい。スイッチ１４９によって、かご２４が通常運転において最高乗り場高さに到達することが可能となる。また、上部安全装置６０の上部停止部材を作動させるコイル１５２は、他のスイッチ１５４が手動救助運転（Ｍａｎｕａｌ  ｒｅｓｃｕｅ  ｏｐｅｒａｔｉｏｎ）（ＭＲＯ）において開いていない限りスイッチ１４９と直列に接続されている。
【００５０】
２つのスイッチ１４８，１４９は、検査運転スイッチ１３７に接続されており、検査モードにおける停止エレメント６８，８８の収縮を防止している。必要な場合に作業者が手動で開けてもよい１つまたは複数の緊急スイッチ１３０’が検査運転スイッチ１３７と直列に接続されることが可能であり、危険な状態が送信されたときも格納式停止エレメントが展開されたままであることが保証される。
【００５１】
また、図６には、手動救助運転モードにおいてコイル１５０，１５１を励磁するように使用されるバッテリ１６０が示されている。このモードは、エレベータから避難することが必要な場合に、ボタンまたは他の制御部材によって選択される。手動救助運転ボタン１５８の起動によって、上述されたスイッチ１５４および第２のスイッチ１５５が開かれ、第３のスイッチ１５６は閉じられる。バッテリ１６０は、コイル１５０〜１５２に接続された一方の端子と、手動救助運転モードが選択されたときにのみ閉じられるスイッチ１５６を介して緊急スイッチ１３０’に接続される他方の端子と、を備える。したがって、手動救助運転モードでは、コイル１５２が作動されていないので最大の安全空間が昇降路の頂部において常に保たれている。これは、人がかごから避難することを防止するのではなく、手動救助運転モードを選択したときに偶然かごの屋上にいる人の危険を回避している。手動救助運転モードでは、コイル１５０は、コイル１５０に対応したスイッチ１４８が閉じられているときに励磁される。これは、かご２４が移動して、スイッチ１４８に対応した垂直位置またはこれより下方にあるピットに接近したからである。同様に、コイル１５１は、コイル１５１に対応したスイッチ１４９が閉じられているときに励磁される。これは、かご２４が移動して、スイッチ１４９に対応した垂直位置またはこれより上方にある昇降路の天井に接近したからである。したがって、コイル１５０，１５１を用いて制御された停止エレメントによって画定された作業空間は、最低乗り場高さまたは最高乗り場高さにおいてエレベータから避難するのに役立つ手動救助運転モードにおいて必ずしも保たれていない。
【００５２】
手動救助運転モードが選択されていないときには、スイッチ１５５は閉じられており、交流電力が、通常運転制御モジュール１３２に対応したリレーに含まれる付加的なスイッチ１５９を介してコイル１５０〜１５２へ供給される。リレースイッチ１５９は、通常運転がオンのときには閉じられており、エレベータの状態が安全として検知される。これにより、エレベータの通常運転において、かごが格納式停止エレメント６８，８８の近傍にくるときに収縮されるのみである格納式停止エレメント６８，８８の通常の動作が制御される。
【００５３】
本発明は、例示的な実施例を参照して説明されてきたが、当業者であれば、本発明の範囲を逸脱しない限り、多くの変更がなされ、本発明の要素の代わりに同等のものが用いられ得ること理解するであろう。さらに、特定の状況や材料に適応するために、本発明の本質的な範囲を逸脱しない限り、多くの修正が本発明の教示になされ得る。したがって、本発明は開示された特定の実施例に限定されず、添付の請求項の範囲に属する実施例全てを含むことが意図される。
【図１】
2009542549.tif 000003
【図２】
2009542549.tif 000004
【図３】
2009542549.tif 000005
【図４】
2009542549.tif 000006
【図５】
2009542549.tif 000007
【図６】
2009542549.tif 000008
【手続補正書】
【提出日】平成19年11月24日(2007.11.24)
【手続補正１】
【補正対象書類名】特許請求の範囲
【補正対象項目名】全文
【補正方法】変更
【補正の内容】
【特許請求の範囲】
【請求項１】
支持部に取り付けられた少なくとも１つの格納式エレメントであって、収縮位置と、選択された方向へ移動するエレベータかごが選択された垂直方向位置に接近するときに、エレベータかごに対応した安全ブレーキのトリガ部材と係合するように格納式エレメントの掴み部が支持部から突出する停止位置と、を備えた少なくとも１つの格納式エレメントと、
前記格納式エレメントの位置を選択的に制御するアクチュエータと、
前記格納式エレメントの位置に対応した位置検出器と、
を備え、
アクチュエータは、エレベータが検査運転にあるときに前記格納式エレメントを停止位置に押すように制御され、位置検出器は、前記格納式エレメントが停止位置に無いときに検査運転におけるかごの移動を防止するようにエレベータ制御回路に接続されることを特徴とするエレベータシステム用の安全装置。
【請求項２】
位置検出器は、前記格納式エレメントが停止位置にあるときにのみ閉じられた状態にあるスイッチを含むことを特徴とする請求項１に記載の安全装置。
【請求項３】
前記格納式エレメントは、かごが前記選択された方向とは反対の方向に移動する際にトリガ部材が掴み部と接触するときに、停止位置から押しのけられるように配置されることを特徴とする請求項１または２に記載の安全装置。
【請求項４】
アクチュエータは、作動されているときに前記格納式エレメントを格納位置へ移行させるように配置され、前記格納式エレメントはピボット軸を中心に支持部に回転可能に取り付けられ、アクチュエータが作動されていないときに前記格納式エレメントは重力によって停止位置を取るように配置されることを特徴とする請求項３に記載の安全装置。
【請求項５】
前記格納式エレメントを停止位置へ移行させるばねをさらに備えることを特徴とする請求項４に記載の安全装置。
【請求項６】
支持部がスライド可能に取り付けられたブラケットと、
掴み部が安全ブレーキのトリガ部材と係合するときに、支持部と、該支持部に取り付けられた前記格納式エレメントと、の垂直方向のスライド移動に適応するように配置された少なくとも１つのばねと、
をさらに備えることを特徴とする請求項１〜５のいずれか１つに記載の安全装置。
【請求項７】
各々が停止位置および格納位置を備えた２つの格納式エレメントであって、これらの格納式エレメントは、双方の間の固定距離で垂直方向にオフセットしており、これら２つの格納式エレメントの一方における掴み部が安全ブレーキのトリガ部材と係合するときに、格納式エレメントの両方における垂直方向のスライド移動に適応するように少なくとも１つのばねが配置される、２つの格納式エレメントを備えることを特徴とする請求項６に記載の安全装置。
【請求項８】
前記少なくとも１つのばねは、前記２つの格納式エレメントの間における固定距離の５分の１よりも大きいストロークを備えることを特徴とする請求項７に記載の安全装置。
【請求項９】
ブラケットと、
垂直方向に沿ってスライドするようにブラケットに取り付けられた支持キャリッジと、
支持キャリッジに取り付けられた少なくとも２つの格納式エレメントであって、これらの格納式エレメントは、双方の間の固定距離で垂直方向にオフセットされており、各々が、掴み部をそれぞれ備え、格納位置と、選択された方向へ移動するエレベータかごが各垂直方向位置に接近するときに、エレベータかごに対応した安全ブレーキのトリガ部材と係合するように格納式エレメントの掴み部が支持キャリッジから突出する停止位置と、を備えた少なくとも２つの格納式エレメントと、
前記２つの格納式エレメントの一方における掴み部が安全ブレーキのトリガ部材と係合するときに、支持キャリッジの垂直方向のスライド移動に適応するばね配置と、
前記格納式エレメントにそれぞれ対応するアクチュエータであって、各格納式エレメントの位置を選択的に制御するアクチュエータと、
を備えるエレベータシステム用の安全装置。
【請求項１０】
各格納式エレメントは、各格納式エレメントが停止位置にあるときにのみ閉じられた状態にあるスイッチを含む各位置検出器に対応することを特徴とする請求項９に記載の安全装置。
【請求項１１】
位置検出器のスイッチは、直列に接続されることを特徴とする請求項１０に記載の安全装置。
【請求項１２】
前記格納式エレメントは、かごが前記選択された方向とは反対の方向に移動する際にトリガ部材が前記格納式エレメントの掴み部と接触するときに、停止位置から押しのけられるように配置されることを特徴とする請求項９〜１１のいずれか１つに記載の安全装置。
【請求項１３】
各アクチュエータは、作動されているときに各格納式エレメントを格納位置へ移行させるように配置され、前記格納式エレメントはピボット軸を中心に支持部に回転可能に取り付けられ、前記アクチュエータが作動されていないときに前記格納式エレメントは重力によって停止位置を取るように配置されることを特徴とする請求項１２に記載の安全装置。
【請求項１４】
前記格納式エレメントを停止位置へ移行させるばねをさらに備えることを特徴とする請求項１３に記載の安全装置。
【請求項１５】
前記ばね配置は、前記２つの格納式エレメントの間における固定距離の５分の１よりも大きいストロークを備えることを特徴とする請求項９〜１４のいずれか１つに記載の安全装置。
【請求項１６】
前記ばね配置は、支持キャリッジに接続されたロッドの周囲に取り付けられたばねであって、ロッドの端部における接触部を圧迫する第１の端部と、支持キャリッジと該ロッドの端部との間に位置するブラケットを圧迫する第２の端部と、を有したばねを備えることを特徴とする請求項９〜１５のいずれか１つに記載の安全装置。
【請求項１７】
エレベータの昇降路内において垂直方向に移動可能なかごと、
かごの移動を制御するエレベータ制御回路と、
トリガされたときにかごを停止させる安全ブレーキと、
支持部に取り付けられた少なくとも１つの格納式エレメントであって、格納位置と、選択された方向へ移動するかごが選択された垂直方向位置に接近するときに、安全ブレーキのトリガ部材と係合するように格納式エレメントの掴み部が支持部から突出する停止位置と、を備えた少なくとも１つの格納式エレメントと、
前記格納式エレメントの位置を選択的に制御するアクチュエータと、
前記格納式エレメントの位置に対応した位置検出器と、
を備え、
アクチュエータは、エレベータが検査運転にあるときに前記格納式エレメントを停止位置に押すように制御され、位置検出器は、前記格納式エレメントが停止位置に無いときに検査運転におけるかごの移動を防止するようにエレベータ制御回路に接続されることを特徴とするエレベータ。
【請求項１８】
前記選択された垂直位置は、前記格納式エレメントの掴み部とトリガ部材との係合に対応して安全ブレーキによってかごの上方への移動が停止されるときに昇降路の頂部に最小限の安全空間を提供するようにかごの最高乗り場高さに隣接するか、前記格納式エレメントの掴み部とトリガ部材との係合に対応して安全ブレーキによってかごの下方への移動が停止されるときに昇降路の底部に最小限の安全空間を提供するようにかごの最低乗り場高さに隣接することを特徴とする請求項１７に記載のエレベータ。
【請求項１９】
前記格納式エレメントは、かごが前記選択された方向とは反対の方向に移動する際にトリガ部材が掴み部に接触するときに、停止位置から押しのけられるように配置されることを特徴とする請求項１７に記載のエレベータ。
【請求項２０】
アクチュエータは、作動されているときに前記格納式エレメントを格納位置へ移行させるように配置され、エレベータは、かごが垂直方向の所定範囲内にあるときにアクチュエータを選択的に作動させるように通常運転におけるかごの前記垂直方向位置に対応したセンサをさらに備え、前記垂直方向の所定範囲は、前記選択された垂直方向位置が最高乗り場高さに隣接するときは最高乗り場高さを含み、前記選択された垂直方向位置が最低乗り場高さに隣接するときは最低乗り場高さを含むことを特徴とする請求項１７〜１９のいずれか１つに記載のエレベータ。
【請求項２１】
支持部がスライド可能に取り付けられたブラケットと、
掴み部が安全ブレーキのトリガ部材と係合するときに、支持部と、該支持部に取り付けられた前記格納式エレメントと、の垂直方向のスライド移動に適応するように配置された少なくとも１つのばねと、
をさらに備えることを特徴とする請求項１７〜２０のいずれか１つに記載のエレベータ。
【請求項２２】
各々が停止位置および格納位置を備えた２つの格納式エレメントであって、これらの格納式エレメントは、双方の間の固定距離で垂直方向にオフセットしており、これら２つの格納式エレメントの一方における掴み部が安全ブレーキのトリガ部材と係合するときに、格納式エレメントの両方における垂直方向のスライド移動に適応するように少なくとも１つのばねが配置される、２つの格納式エレメントを備えることを特徴とする請求項２１に記載のエレベータ。
【請求項２３】
前記少なくとも１つのばねは、前記２つの格納式エレメントの間における固定距離の５分の１よりも大きいストロークを備えることを特徴とする請求項２２に記載のエレベータ。
【請求項２４】
エレベータの昇降路内において垂直方向に移動可能なかごと、
トリガされたときにかごを停止させる安全ブレーキと、
検査運転において選択された方向へ移動するかごの検出に対応して安全ブレーキをトリガする少なくとも１つの安全装置と、
を備えたエレベータにおいて、前記安全装置は、
昇降路内に固定されたブラケットと、
垂直方向に沿ってスライドするようにブラケットに取り付けられた支持キャリッジと、
支持キャリッジに取り付けられた少なくとも２つの格納式エレメントであって、これらの格納式エレメントは、双方の間の固定距離で垂直方向にオフセットされ、各々が、掴み部をそれぞれ備え、格納位置と、選択された方向へ移動するエレベータかごが各垂直方向位置に接近するときに、エレベータかごに対応した安全ブレーキのトリガ部材と係合するように格納式エレメントの掴み部が支持キャリッジから突出する停止位置と、を備えた少なくとも２つの格納式エレメントと、
前記２つの格納式エレメントの一方における掴み部が安全ブレーキのトリガ部材と係合するときに、支持キャリッジの垂直方向のスライド移動に適応するばね配置と、
前記格納式エレメントにそれぞれ対応するアクチュエータであって、各格納式エレメントの位置を選択的に制御するアクチュエータと、
を備えることを特徴とするエレベータ。
【請求項２５】
アクチュエータは、エレベータが検査運転にあるときに前記格納式エレメントを停止位置に押すように制御され、各格納式エレメントは、該格納式エレメントが停止位置に無いときに検査運転においてかごの移動を防止するようにエレベータ制御回路に接続された各位置検出器に対応することを特徴とする請求項２４に記載のエレベータ。
【請求項２６】
各位置検出器は、各格納式エレメントが停止位置にあるときにのみ閉じられた状態にあるスイッチであって、検査運転においてエレベータ制御回路に電力を供給するように使用される安全チェーンにおいて直列に接続される、スイッチを含むことを特徴とする請求項２５に記載のエレベータ。
【請求項２７】
前記選択された垂直方向位置は、
前記格納式エレメントのうちの第１の格納式エレメントに対応した第１の垂直方向位置であって、第１の格納式エレメントの掴み部とトリガ部材との係合に対応して安全ブレーキによってかごの上方への移動が停止されたときに、昇降路の頂部に作業空間を提供するようにかごの最高乗り場高さに隣接する第１の垂直方向位置と、
前記格納式エレメントのうちの第２の格納式エレメントに対応した第２の垂直方向位置であって、第２の格納式エレメントの掴み部とトリガ部材との係合に対応して安全ブレーキによってかごの上方への移動が停止されたときに、昇降路の頂部に最終の安全空間を提供するように第１の垂直位置の上方に前記固定距離で配置される第２の垂直方向位置と、
を含むことを特徴とする請求項２４〜２６のいずれか１つに記載のエレベータ。
【請求項２８】
アクチュエータは、作動されているときに各格納式エレメントを格納位置へ移行させるように配置され、手動救助運転において、第１の格納式エレメントに対応したアクチュエータは、かごが所定の垂直位置の上方に少なくともあるときに作動され、第２の格納式エレメントに対応したアクチュエータは作動されないことを特徴とする請求項２７に記載のエレベータ。
【請求項２９】
各格納式エレメントは、かごが前記選択された方向とは反対の方向に移動する際にトリガ部材が前記格納式エレメントの掴み部と接触するときに、停止位置から押しのけられるように配置されることを特徴とする請求項２７または２８に記載のエレベータ。
【請求項３０】
アクチュエータは、作動されているときに前記格納式エレメントを格納位置へ移行させるように配置され、エレベータは、かごが最高乗り場高さを含む垂直方向の所定範囲に配置されたときにアクチュエータを選択的に作動させるように通常運転におけるかごの垂直方向位置に対応したセンサをさらに備えることを特徴とする請求項２９に記載のエレベータ。
【請求項３１】
前記ばね配置は、前記２つの格納式エレメントの間における固定距離の５分の１よりも大きいストロークを備えることを特徴とする請求項２４〜３０のいずれか１つに記載のエレベータ。
【請求項３２】
前記ばね配置は、支持キャリッジに接続されたロッドの周囲に取り付けられたばねであって、ロッドの端部における接触部を圧迫する第１の端部と、支持キャリッジと該ロッドの端部との間に位置するブラケットを圧迫する第２の端部と、を有したばねを備えることを特徴とする請求項２４〜３１のいずれか１つに記載のエレベータ。
【国際調査報告】
2009542549.tif 000009
2009542549.tif 000010
2009542549.tif 000011
2009542549.tif 000012
2009542549.tif 000013